(57)【要約】【課題】アコースティックスピーカの提供。【解決手段】  −金属フレーム３と、  −フレームに締結されたプラスチックシェル５であって、シェルが少なくとも２つの開口７Ａ、７Ｂを形成する、プラスチックシェルと、  −横断軸線Ｔに沿って背中合わせに配列された少なくとも２つのラウドスピーカ９Ａ、９Ｂであって、２つのラウドスピーカが、それぞれ２つの開口を通過して延びる、２つのラウドスピーカと、  を備える、アコースティックスピーカ。  フレームは、２つのラウドスピーカの間を横切って配置されかつ２つのラウドスピーカがこれに締結される内側部分２１を備える。【選択図】図１
2020065250.tif 000002
【特許請求の範囲】
【請求項１】
−金属フレーム（３）と、
−前記フレーム（３）に締結されたプラスチックシェル（５）であって、前記シェル（５）が少なくとも２つの開口（７Ａ、７Ｂ）を形成する、プラスチックシェルと、
−横断軸線（Ｔ）に沿って背中合わせに配列された少なくとも２つのラウドスピーカ（９Ａ、９Ｂ）であって、前記２つのラウドスピーカ（９Ａ、９Ｂ）がそれぞれ前記２つの開口（７Ａ、７Ｂ）を横切って延びる、少なくとも２つのラウドスピーカと、
を備える、アコースティックスピーカ（１；１００）において、
前記フレーム（３）が、前記２つのラウドスピーカ（９Ａ、９Ｂ）の間を横切って配置されかつ前記２つのラウドスピーカ（９Ａ、９Ｂ）がその上に締結される内側部分（２１）を備える、ことを特徴とする、
アコースティックスピーカ（１；１００）。
【請求項２】
前記２つのラウドスピーカ（９Ａ、９Ｂ）が、前記フレーム（３）によって形成されたもの以外に前記シェル（５）との間に堅固な接続部がない、請求項１に記載のアコースティックスピーカ（１；１００）。
【請求項３】
前記シェル（５）が一体型である、請求項１又は２に記載にアコースティックスピーカ（１；１００）。
【請求項４】
−前記フレーム（３）が、長手軸線（Ｌ）に沿って前記アコースティックスピーカ（１；１００）の後部（１５）を形成する外側部分（１９）を備え、前記シェル（５）が前記長手軸線（Ｌ）に沿って前記アコースティックスピーカ（１；１００）の前部（１３）を形成し、
−前記シェル（５）と前記フレーム（３）の前記外側部分（１９）が、前記長手軸線（Ｌ）に沿って相互に入れ子構成するのに適する、
請求項１〜３のいずれか１項に記載のアコースティックスピーカ（１；１００）。
【請求項５】
前記２つのラウドスピーカ（９Ａ、９Ｂ）の一方（９Ｂ）を前記内側部分（２１）に締結するための締結システム（１１）を備え、前記締結システム（１１）が、
−前記フレーム（３）の前記内側部分（２１）を貫通する第１部分（７９）と、
−前記２つのラウドスピーカ（９Ａ、９Ｂ）の前記一方（９Ｂ）に対して横断方向に前記内側部分（２１）の他方の側に配置された第２部分（８１）であって、前記第２部分（８１）が、前記内側部分（２１）が前記２つのラウドスピーカ（９Ａ、９Ｂ）の前記一方（９Ｂ）と前記第２部分（８１）との間に挟まれるブロック位置と前記２つの開口（７Ａ、７Ｂ）の一方を介して前記２つのラウドスピーカ（９Ａ、９Ｂ）の前記一方（９Ｂ）を取り外せるようにするアンブロック位置との間で、前記横断軸線（Ｔ）に対して平行の軸線（Ｔ’）の周りで前記内側部分（２１）に対して回転可能に取り付けられ、前記第２部分（８１）が前記２つのラウドスピーカ（９Ａ、９Ｂ）の他方（９Ａ）が不在のとき前記内側部分（２１）の前記他方の側から回転作動できる、第２部分（８１）と、
を含む、
請求項１〜４のいずれか１項に記載のアコースティックスピーカ（１）。
【請求項６】
前記固定システム（１１）の前記第１部分（７９）が、スクリューの軸部を備え、前記第２部分（８１）が前記スクリューの頭部を備える、請求項５に記載のアコースティックスピーカ（１）。
【請求項７】
前記締結システム（１１）の前記第２部分（８１）が、前記２つのラウドスピーカ（９Ａ、９Ｂ）の他方（９Ａ）によって形成されたハウジング（６３Ａ）の中に係合する前記横断軸線（Ｔ）に沿った延長部（８３）を含む、請求項５又は６に記載のアコースティックスピーカ（１）。
【請求項８】
前記ラウドスピーカ（９Ａ、９Ｂ）の少なくとも一方（９Ａ）が、前記フレーム（３）の前記内側部分（２１）に接着された面（６１Ａ）を備える、請求項１〜７のいずれか１項に記載のアコースティックスピーカ（１）。
【請求項９】
前記シェル（５）が、前記接着された面（６１Ａ）へのアクセスを形成する開口（４６）を形成する、請求項８に記載のアコースティックスピーカ（１）。
【請求項１０】
前記２つのラウドスピーカ（９Ａ、９Ｂ）の一方（９Ｂ）が、前記横断軸線（Ｔ）に対して直角を成す向きに定められかつ前記２つのラウドスピーカ（９Ａ、９Ｂ）の前記一方（９Ｂ）のブロック位置と前記２つの開口（７Ａ、７Ｂ）の一方（７Ｂ）を介して前記２つのラウドスピーカ（９Ａ、９Ｂ）の前記一方（９Ｂ）を取り外せるようにするアンブロック位置との間で前記フレーム（３）の前記内側部分（２１）に対して前記ダウエルピン（１１３、１１５）を移動するために前記シェル（５）の少なくとも１つの開口（１３９、１４１）を介してアクセス可能な頭部（９Ｂ）を含む少なくとも１つのダウエルピン（１１３、１１５）を備える締結システム（１１１）によって、前記フレーム（３）の前記内側部分（２１）に固定される、請求項１〜９のいずれか１項に記載のアコースティックスピーカ（１００）。
【発明の詳細な説明】
【技術分野】
【０００１】
本発明は、
−金属フレームと、
−フレームに固定されたプラスチックシェルであって、シェルが少なくとも２つの開口を形成する、シェルと、
−横断軸線に沿って背中合わせに配列された少なくとも２つのラウドスピーカであって、２つのラウドスピーカが、それぞれ２つの開口を横切って延びる、少なくとも２つのラウドスピーカと、
を備える、アコースティックスピーカに関する。
【背景技術】
【０００２】
ラウドスピーカ、特にウーファは、嵩が大きく重い要素であり、アコースティックスピーカにかなりの振動を生じる可能性がある。したがって、一方のラウドスピーカによって発生した振動が他方のラウドスピーカによって発生した振動によって相殺されるように頭尾構成に配列される。
【０００３】
このようなアコースティックスピーカを組み立てる際、まず、ラウドスピーカが、アコースティックスピーカの内側において、シェルの部分に取り付けられる。その後、シェルの部分は、２つのラウドスピーカが頭尾構成になるように、相互に及び／又はフレームに最終位置に組み立てられる。このような構造の利点は、ラウドスピーカが通過して延びる開口のプラスチックの周囲をラウドスピーカが強化することである。
【０００４】
しかし、組立て全体は比較的複雑であり、シェルの部分の組立ての痕跡が残り、これは使用者に見える又は使用者が触れる可能性がある。このような痕跡は、アコースティックスピーカに与えたい滑らかできれいな外観にとって有害である。このような痕跡は、概ね美的に好ましくないと考えられる。
【発明の概要】
【発明が解決しようとする課題】
【０００５】
本発明の１つの目的は、組立てがより複雑ではないアコースティックスピーカを提供することである。
【課題を解決するための手段】
【０００６】
このために、本発明は、上述のタイプのアコースティックスピーカに関連し、フレームは、２つのラウドスピーカの間を横切って配置されかつその上に２つのラウドスピーカが固定される内側部分を備える。
【０００７】
具体的実施形態によれば、アコースティックスピーカは、単独で又は技術的に可能な任意の組合せで下記の特徴の１つ又はそれ以上を含む。即ち、
−２つのラウドスピーカは、フレームによって形成されるもの以外にシェルとの間に堅固な接続部を持たず、
−シェルは一体型であり、
−フレームは、長手軸線に沿ってアコースティックスピーカの後部を形成する外側部分を備え、シェルは、長手軸線に沿ってアコースティックスピーカの前部を形成し、シェルとフレームの外側部分は、長手軸線に沿って相互に入れ子構成するのに適し、
−アコースティックスピーカは、２つのラウドスピーカの一方を内側部分に固定するのに適する固定システムを備え、第１固定システムは、フレームの内側部分を貫通する第１部分と、２つのラウドスピーカの前記一方に対して横断方向に内側部分の他方の側に配置された第２部分とを含み、第２部分は、内側部分が２つのラウドスピーカの前記一方と第２部分との間に挟まれるブロック位置と、２つの開口の一方を介して２つのラウドスピーカの前記一方を取り外せるようにするアンブロック位置との間で横断軸線に対して平行の軸線の周りで内側部分に対して回転可能に取り付けられ、第２部分は、前記２つのラウドスピーカの他方が不在のとき内側部分の他方の側から回転作動でき、
−固定システムの第１部分は、スクリューの軸部を備え、第２部分は前記スクリューの頭部を備え、
−固定システムの第２部分は、２つのラウドスピーカの他方によって形成されたハウジングの中に係合する横断軸線に沿った延長部を含み、
−ラウドスピーカの少なくとも一方は、フレームの内側部分に接着された面を備え、
−シェルは、前記接着された面へのアクセスを形成する開口を形成し、
−２つのラウドスピーカの一方は、横断軸線に対して直角を成す向きに定められかつ２つのラウドスピーカの前記一方のブロック位置と２つの開口の一方を介して２つのラウドスピーカの前記一方を取り外せるようにするアンブロック位置との間でフレームの内側部分に対してダウエルピンを動かすためにシェルの少なくとも一方の開口を介してアクセス可能な頭部を含む、少なくとも１つのダウエルピンを備える固定システムによってフレームの内側部分に固定される。
【０００８】
本発明は、添付図面を参照しながら単に例として示す下記の説明を読めば、より良く理解できる。
【図面の簡単な説明】
【０００９】
【図１】本発明に係るアコースティックスピーカの分解斜視図である。
【図２】図１のアコースティックスピーカの側面図である。
【図３】図１のアコースティックスピーカの前面図である。
【図４】図１〜３のアコースティックスピーカの、アコースティックスピーカによって形成された長手軸線及びラウドスピーカによって形成された横断軸線を通過する平面に沿って見た断面図である。
【図５】図１〜４のアコースティックスピーカのシェルの２つのコピーの中に在る金属インサートの前面図である。
【図６】ラウドスピーカの一方の接着ゾーンを中心とする図４の詳細図である。
【図７】ラウドスピーカの一方の密封ガスケットを中心とする図４の詳細図である。
【図８】図１〜４のアコースティックスピーカの変形を構成するアコースティックスピーカの分解斜視図である。
【図９】図８のアコースティックスピーカの、垂直中心面に沿って見た断面図である。
【図１０】図８及び９のアコースティックスピーカの、長手軸線に対して直角を成しかつラウドスピーカによって形成された横断軸線を通過する平面に沿って見た断面詳細図で特に、
【発明を実施するための形態】
【００１０】
本発明に係るアコースティックスピーカ１について、図１〜４を参照して説明する。
【００１１】
アコースティックスピーカ１は、例えば、アクティブスピーカである。即ち、特に、音響信号リーダと増幅器と（図示せず）を含む。同様に、明確化のために、本発明に直接関係しないアコースティックスピーカの他の電気又は電子要素は図示しない。
【００１２】
アコースティックスピーカ１は、金属フレーム３と、フレームに固定されかつ少なくとも２つの開口７Ａ、７Ｂを形成するプラスチックシェル５と、を備える。アコースティックスピーカ１は、横断軸線Ｔに沿って背中合わせに配列されかつそれぞれ２つの開口７Ａ、７Ｂを横切って延びる２つのラウドスピーカ９Ａ、９Ｂを備える。アコースティックスピーカは、ラウドスピーカ９Ｂをフレーム３に固定するのに適する固定システム１１を備え、ラウドスピーカ９Ａは、図示する例においてこのフレームにもっと単純に固定される。
【００１３】
横断軸線Ｔは、例えば、アコースティックスピーカが水平面Ｓ上で使用位置にあるとき水平である。
【００１４】
図示する実施例において、アコースティックスピーカ１は、横断軸線Ｔに対して直角を成すことが好ましい長手軸線Ｌに沿って長円形である。したがって、アコースティックスピーカ１は、シェル５によって形成された前部１３と、フレーム３によって形成された後部１５とを含む。
【００１５】
好ましくは、アコースティックスピーカ１は、シェル５によって形成されたハウジング１７の中に固定された第３のラウドスピーカ（図示せず）を備える。
【００１６】
アコースティックスピーカは、例えば、横断軸線Ｔに対して直角を成しかつ長手軸線Ｌを通過する平面Ｐに対して対称形である外側形状を持つ。
【００１７】
フレーム３は、例えば、好ましくはアルミニウムから作られ鋳造部品である。
【００１８】
フレーム３は、アコースティックスピーカの後部１５を形成し例えば長手軸線Ｌに沿ってシェル５と入れ子構成するのに適する外側部分１９を備える。フレーム３は、平面Ｐに沿って２つのラウドスピーカ９Ａ、９Ｂの間に延びかつその上に２つのラウドスピーカが堅固に固定される内側部分２１を備える。
【００１９】
「堅固に固定」とは、本明細書において、例えば１００Ｎ（ニュートン）好ましくは１０００Ｎの引裂き強度に耐える確実な機械的固定を意味する。
【００２０】
外側部分１９は、アコースティックスピーカ内部に発生した熱を排出するための複数のフィン２５を形成する後部２３（図４）と、後部２３からラウドスピーカ９Ａ、９Ｂ下方を長手方向に延びるソールプレート２７と、を備える。
【００２１】
内側部分２１は、例えば、概ね平面形状を持つ。内側部分２１は、後部２３及びソールプレート２７と一体的であると有利である。内側部品２１は、締結システム１１が貫通する軸方向の通路２９を形成する。
【００２２】
横断方向にラウドスピーカ９Ａの方を向く第１面３１Ａにおいて、内側部分は、ラウドスピーカ９Ａの受容面３３Ａを形成する。横断方向にラウドスピーカ９Ｂの方を向く第２面３１Ｂにおいて、内側部分は、ラウドスピーカ９Ｂの受容面３３Ｂを形成する。
【００２３】
受容面３３Ａ、３３Ｂは、横断軸線Ｔに対して直角を成すと有利である。受容面は、横断軸線を完全に取り囲むと有利であり、例えば環状形を持つ。受容面は、それぞれ第１面３１Ａ及び第２面３１Ｂにおいて、内側部分２１の横断隆起部を形成する。
【００２４】
シェル５は、一体型であると有利である。「一体型」とは、シェルが単一のピースであり、相互に機械的に固定される部分によって構成されないことを意味する。
【００２５】
シェル５は、フレームの外側部分１９と一緒にアコースティックスピーカの内部容積３５を形成し、この中にラウドスピーカ９Ａ及び９Ｂがほとんど挿入される。
【００２６】
シェル５は、例えばポリカーボネート（ＰＣ）及び１５％〜２５％（重量）のグラスファイバを含む内側層３７と、例えばアクリロニトリルブタジエンスチレン（ＡＢＳ）を含む外側層３９又はトリム層と、を備える。
【００２７】
シェルは、例えば内側部分２１の縁の中へ長手方向にネジ入れられるダウエルピン４１及びシェルを長手方向に内側部分に押圧するようにダウエルピンの上にネジ式に嵌められるナット４３を使用して、フレームの内側部分２１に堅固に固定される。
【００２８】
シェルは、フレーム３による以外には２つのラウドスピーカ９Ａ、９Ｂに堅固に接続されない。シェルは、それぞれ開口７Ａ、７Ｂを介して横断軸線Ｔに沿ってフレームの内側部分２１までラウドスピーカ９Ａ、９Ｂを挿入できるようにするのに適する。
【００２９】
シェルは、それぞれ長手方向にラウドスピーカ９Ａ、９Ｂとフレームの後部２３との間に配置された２つの後部分４５Ａ、４５Ｂを備える。
【００３０】
シェルは、ラウドスピーカ９Ａにアクセスするための開口４６を形成すると有利である。
【００３１】
開口４６は、ハウジング１７の中に収容されて、第３スピーカ（図示せず）に隠されると有利である。
【００３２】
内側層３７は内部容積３５の境界となる。
【００３３】
開口７Ａ、７Ｂは、円形であり、例えば横断軸線Ｔを中心とすることが好ましい。開口７Ａ、７Ｂは、それぞれシェルの２つの縁４７Ａ、４７Ｂを境界とする。
【００３４】
縁４７Ａ及び後壁４５Ａは、金属インサート４９Ａによって強化される。
【００３５】
縁４９Ｂ及び後壁４５Ｂは、金属インサート４９Ａと構造的に同様であることが有利である金属インサート４９Ｂによって強化される。
【００３６】
２つのインサートは構造的に同様であり、インサート４９Ａについてのみ図５を参照して簡単に説明する。
【００３７】
インサート４９Ａは、シェルの内側層３７によってオーバーモールドされる。金属インサート４９Ａは、縁４７Ａを強化するために縁４７Ａに配置された円形部分５１と、円形部分５１に長手方向に隣接し後壁４５Ａに配置された部分５３とを備える。
【００３８】
ラウドスピーカ９Ａ、９Ｂは、例えばウーファである。「ウーファ」は、例えば、１０００Ｈｚ未満好ましくは５００Ｈｚ未満、より好ましくは１５０Ｈｚ未満の周波数の音波を拡散するのに適するラウドスピーカを意味する。
【００３９】
ラウドスピーカ９Ａ、９Ｂは、それぞれ、シャーシ５５Ａ、５５Ｂ（図４）と、音波を発するのに適するメンブレン５７Ａ、５７Ｂと、磁気回路５９Ａ、５９Ｂと、を備える。
【００４０】
メンブレン５７Ａ、５７Ｂは、球体キャップであると有利である。ラウドスピーカ９Ａ、９Ｂは横断方向においてメンブレンと反対の側で内側部分２１に固定されるので、メンブレンは、横断軸線Ｔにおいて遮断されない。
【００４１】
磁気回路５９Ａ、５９Ｂは、フレームの内側部分２１に固定される。磁気回路５９Ａ、５９Ｂは、それぞれフレームの受容面３３Ａ、３３Ｂと当接する面６１Ａ、６１Ｂを形成する。磁気回路は、それぞれ、少なくともフレームの内側部分２１の側にある軸方向ハウジング６３Ａ、６３Ｂを形成する。
【００４２】
図６に示すように、面６１Ａは、横断軸線Ｔから半径方向に、磁気回路５９Ａによって形成されたリム６５Ａを境界とする。
【００４３】
面３３Ａは、例えば接着剤６７を使用して受容面６１Ａに接着される。
【００４４】
好ましくは、リム６５Ａ及び受容面３３Ａを形成する内側部分２１の隆起部は、一緒にハウジング６９を形成し、この中に接着剤６７の過剰分があって、磁気回路５９Ａとフレームの内側部分２１との間の結合を強化する。
【００４５】
実施例において、シャーシ５５Ａ、５５Ｂは、磁気回路５９Ａ、５９Ｂに固定されて、フレームには直接的に固定されない。
【００４６】
シャーシ５５Ａ、５５Ｂは、磁気モーター及びフレーム３による以外にはシェル５に堅固に固定されない。言い換えると、ラウドスピーカ９Ａ、９Ｂのシャーシは、シェルの縁４７Ａ、４７Ｂに対して突き出される。
【００４７】
図７に示すように、密封ガスケット７１Ａ、７１Ｂは、それぞれラウドスピーカ９Ａ、９Ｂとシェルの縁４７Ａ、４７Ｂとの間に配列される。但し、これらのシールは、ラウドスピーカ９Ａ、９Ｂとシェルとの間の堅固な接続部を構成しない。
【００４８】
密封ガスケット７１Ａ及び７１Ｂは、構造的に相互に同一でありかつ平面Ｐに対して相互に対称的なので、本明細書においてはシール７１Ａについてのみ説明する。
【００４９】
シール７１Ａは、横断軸線Ｔの周りでシャーシ５５Ａを弾性的に把握する本体部７３と、シェルの縁４７Ａを圧迫するリップ７５とを備える。
【００５０】
本体部７３は、シャーシ５５Ａによって形成されたショルダ７７Ａを横断方向に圧して当接する。
【００５１】
リップ７５は、横断方向にアコースティックスピーカの外側に曲がる。
【００５２】
シール７１Ａの構成は、開口７Ａを介した内部容積３５の中へのラウドスピーカ９Ａの挿入を容易にできる。
【００５３】
締結システム１１は、通路２９を介してフレームの内側部分２１を通過して軸方向に延びる第１部分７９と、ラウドスピーカ９Ｂに対して横断方向において第１部分２１の他方の側に配置された第２部分８１と、を備える。
【００５４】
図示する例において、第１部分７９は、スクリュー軸部であり、第２部分は、スクリューの頭部とワッシャとを含む。
【００５５】
第１部分７９即ちスクリュー軸部は、ラウドスピーカ９Ｂの磁気回路５９Ｂによって形成されたハウジング６３Ｂの中へネジ入れられる。
【００５６】
第２部分８１即ちスクリュー頭部は、軸Ｔ’即ちこの実施例において横断軸線Ｔの周りで、ラウドスピーカ９Ｂをブロックする位置と開口７Ｂを介してラウドスピーカ９Ｂを取り外せるようにするアンブロック位置との間で内側部分２１に対して回転可能に取り付けられる。
【００５７】
図４に示すブロック位置において、内側部分２１は、軸方向にラウドスピーカ９Ｂと第２部分８１との間に挟まれる。
【００５８】
アンブロック位置において、第１部分７９は磁気回路５９Ｂから（ネジを）緩められて（unscrew）、ラウドスピーカ９Ｂを解放するので、ラウドスピーカは、横断軸線Ｔに沿って並進させることによって内部容積３５から取り外せる。
【００５９】
第２部分８１即ちスクリュー頭部は、ラウドスピーカ９Ａが不在のときラウドスピーカ９Ｂと反対の内側部分２１の側から軸Ｔ’の周りで回転作動できる。
【００６０】
図示する実施例において、第２部分８１は、ラウドスピーカ９Ａによって形成されたハウジング６３Ａの中に係合する横断方向延長部８３を含む。これは、ラウドスピーカ９Ａがフレームの受容面３３Ａに接着されるように内部容積３５に導入されるときラウドスピーカ９Ａの移動を案内できるようにする。
【００６１】
図示しない変形によれば、締結システム１１は、ラウドスピーカ９Ｂに固定されて通路２９を貫通するダウエルピンと、横断方向にラウドスピーカ９Ｂと反対の内側部分２１の側からダウエルピンの上にネジ式に嵌められるナットと、を含む。
【００６２】
アコースティックスピーカ１の組立てについて簡単に説明する。
【００６３】
フレームに電子要素（図示せず）を固定した後、シェル５とフレーム３は、長手軸Ｌに沿って相互に入れ子構成される。シェルは、その後、ナット４３をダウエルピン４１上にネジ式に嵌めることによって、フレームに固定される。
【００６４】
ラウドスピーカ９Ｂは、開口７Ｂを介して横断軸線Ｔに沿って内部容積３５の中へ導入される。
【００６５】
まだラウドスピーカ９Ａに占められていない内側部分２１の外側から、締結システム１１は通路２９の中へ導入される。第１部分７９は、第２部分８１が内側部分２１に当接するまでハウジング６３Ｂの中へネジ入れられる。磁気回路５９Ｂの面６１Ｂは、内側部分の受容面３３Ｂとしっかりと当接したまま維持される。締結システム１１のネジ入れ操作は、ラウドスピーカ９Ａによってまだ占められていない内側部分２１の側から簡単に実施される。
【００６６】
次に、受容面３３Ａ及び／又は磁気回路５９Ａの面６１Ａが、接着剤６７でコーティングされる。ラウドスピーカ９Ａは、シェルの開口７Ａを介して内部容積３５の中へ導入される。第２部分８１の延長部８３は、磁気回路５９Ａによって形成されたハウジング６３Ａの中へ進入して、ラウドスピーカ９Ａの移動を案内できるようにする。面６１Ａと受容面３３Ａは、相互に当接を維持される。接着剤６７の過剰分は、ハウジング６９の中へ流れ込む。接着剤が乾燥する。これで、ラウドスピーカ９Ａは、フレームの内側部分２１に確実に固定される。
【００６７】
ラウドスピーカの分解の際には、シェルによって形成されたアクセス口４６を使用して、適切なツール（図示せず）を挿入して、ラウドスピーカ９Ａを内側部分２１から緩める。ラウドスピーカ９Ａは、その後、横断軸線Ｔに沿って取り外せる。ラウドスピーカ９Ａを取り外したら、締結システム１１は、開口７Ａを介してアクセス可能になる。その後、第１部分７９のネジを緩めてラウドスピーカ９Ｂを解放するために第２部分８１を回転できる。ラウドスピーカ９Ｂは、開口７Ｂを介して横断軸線Ｔに沿って取り外せる。
【００６８】
上述の特徴を持つので、アコースティックスピーカ１は、シェル５の一体型性質にもかかわらず、組立・解体が容易である。
【００６９】
図８〜１０を参照して、次にアコースティックスピーカ１の変形を構成するアコースティックスピーカ１００について説明する。アコースティックスピーカ１００は、図１〜７に示すアコースティックスピーカ１と同様である。同様の要素には同じ参照符号を付けて、重ねて説明しない。下では顕著な相違についてのみ説明する。
【００７０】
アコースティックスピーカ１００は、ラウドスピーカ９Ａ、９Ｂの締結様式の点で異なる。
【００７１】
アコースティックスピーカ１００のラウドスピーカ９Ａは、アコースティックスピーカ１のラウドスピーカ９Ｂと同様にネジ式に係合することによって固定される。図１０に示すように、締結システム１１は、ラウドスピーカ９Ａを内側部分２１に堅固に固定する。第１部分７９は、磁気回路５９Ａの中へネジ入れられ、第２部分８１は、ラウドスピーカ９Ａの反対の内側部分２１の側から第１部分をネジ止めできるようにする。
【００７２】
第２部分８１は、アコースティックスピーカ１には存在する延長分８３を持たない。
【００７３】
ラウドスピーカ９Ｂは、内側部分２１にラウドスピーカ９Ｂを接着することを含まない締結システム１１１によって内側部分２１に固定される。
【００７４】
締結システム１１１は、内側部分２１に対してラウドスピーカ９Ｂをブロック又はアンブロックできるようにする２つのダウエルピン１１３、１１５を備える。
【００７５】
図示しない変形によれば、締結システム１１１は、ダウエルピンを１つだけ含むように構成される。
【００７６】
締結システム１１１は、ダウエルピン１１３、１１５を長手方向に案内するための支持ブロック１１７と、ラウドスピーカ９Ｂの磁気回路５９Ｂの中へ軸方向にネジ入れられるワッシャヘッドスクリュー１１９と、ロックワッシャ１２１と、ワッシャヘッドスクリュー１１９の上にスリップ式に嵌められる接続ピース１２３とを備える。
【００７７】
ロックワッシャ１２１は、接続ピース１２３とワッシャヘッドスクリュー１１９の頭部１２５との間で横断方向に圧迫される。ロックワッシャ１２１は、高い強靭性を持つ。
【００７８】
変形（図示せず）において、数個のロックワッシャが、接続ピース１２３と頭部１２５との間に直列に配列される。
【００７９】
支持ブロック１１７は、例えばスクリューによってフレームの内側部分２１のラウドスピーカ９Ｂの側に締結される。支持ブロックは、ダウエルピン１１３、１１５のための２つの長手方向の通路１２７、１２９、及びスクリュー頭部１２５、ロックワッシャ１２１及び接続衣ピース１２３が中に配置されるハウジング１３１を形成する。
【００８０】
ダウエルピン１１３、１１５は、ロックワッシャ１２１を徐々に圧迫してシステムの組立てを容易にするために、例えば長手方向に頭部１３３〜１３５へ向かって徐々に増大する直径を持つスピンドル形プロフィルを持つ。
【００８１】
接続ピース１２３は、ダウエルピン１１３、１１５のための横断方向のストッパを形成するリム１３７を含む。
【００８２】
ダウエルピン１１３、１１５が支持ブロック１１７の中へネジ入れられたとき、ダウエルピンは、横断軸線Ｔに沿ってフレームの内側部品２１へ向かって接続ピース１２３を押して、スクリュー頭部１２５と接続ピース１２３との間でロックワッシャ１２１を更に圧迫する。このように、ロックワッシャ１２によってスクリュー頭部１２５に対して加えられた弾性力は、磁気回路５９Ｂを支持ブロック１１７にしっかりと押し続けて、ラウドスピーカ９Ｂを内側部分２１に締結する。
【００８３】
ラウドスピーカ９Ｂは、内側部分２１に堅固に締結されて、磁気回路５９Ｂを支持ブロック１１７から離すためにはロックワッシャ１２１の強靭性に勝たなければならない。更に、ラウドスピーカ９Ｂは、この力が止むと、支持ブロックへ向かって戻される。
【００８４】
変形において、ダウエルピン１１３、１１５は、フレームの内側部分２１の中へネジ入れられ、支持ブロック１１７は省略される。
【００８５】
好ましくは、シェル５は、シェルの外部からダウエルピンの頭部１３３、１３５にアクセスするための２つの開口１３９、１４１を形成する。
【００８６】
これらのアクセス口は、第３のラウドスピーカによって隠されると有利である。
【図１】
2020065250.tif 000003
【図２】
2020065250.tif 000004
【図３】
2020065250.tif 000005
【図４】
2020065250.tif 000006
【図５】
2020065250.tif 000007
【図６】
2020065250.tif 000008
【図７】
2020065250.tif 000009
【図８】
2020065250.tif 000010
【図９】
2020065250.tif 000011
【図１０】
2020065250.tif 000012
【外国語明細書】
2020065250000001.pdf